(57)【要約】  少なくとも１つのペリフェラルデバイス、および／または使用可能な補助デバイスに関連する少なくとも１つのペリフェラルデバイスに対するアクセスを有する無線送信／受信ユニット（ＷＴＲＵ）を提供するための方法および装置。ＷＴＲＵの現在のペリフェラルデバイス要件が決定される。ＷＴＲＵの無線周波数（ＲＦ）環境をスキャンして、ＷＴＲＵに近い使用可能な任意の無線ペリフェラルデバイスまたは無線補助デバイスが存在するかどうかを決定する。使用可能な有線ペリフェラルデバイスまたは有線補助デバイスが存在するかどうかについても決定が行われる。現在使用可能なペリフェラルデバイスのリストが、無線補助デバイスおよび有線補助デバイスのうちの少なくとも一方に関連する少なくとも１つのペリフェラルデバイスレジストリをスキャンすることによりコンパイルされる。そのリストは、ＷＴＲＵのディスプレイ上に提示され、ユーザは、そのリストから使用可能なペリフェラルデバイスのうちの少なくとも１つを選択する。
2008520038.tif 000002
【特許請求の範囲】
【請求項１】
ディスプレイを有する無線送信／受信ユニット（ＷＴＲＵ）に対して使用可能な補助デバイスに関連する少なくとも１つのペリフェラルデバイスを割り当てる方法であって、
（ａ）前記ＷＴＲＵと少なくとも１つの使用可能な補助デバイスとの間にインターフェースを設ける工程と、
（ｂ）前記ＷＴＲＵの現在のペリフェラルデバイス要件を決定する工程と、および
（ｃ）前記ＷＴＲＵの前記ディスプレイ上に前記少なくとも１つの補助デバイスに関連する現在使用可能なペリフェラルデバイスのリストを提示する工程と
を具えたことを特徴とする方法。
【請求項２】
（ｄ）前記ＷＴＲＵの無線周波数（ＲＦ）環境をスキャンして、前記ＷＴＲＵに近い使用可能な任意の無線補助デバイスが存在するかどうかを決定する工程
をさらに具えたことを特徴とする請求項１記載の方法。
【請求項３】
（ｅ）使用可能な有線補助デバイスが存在するかどうかを決定すること、および
（ｆ）無線補助デバイスおよび有線補助デバイスのうちの少なくとも一方に関連する少なくとも１つのペリフェラルデバイスレジストリをスキャンすることにより、現在使用可能なペリフェラルデバイスの前記リストをコンパイルする工程と
をさらに具えたことを特徴とする請求項２記載の方法。
【請求項４】
（ｄ）前記ＷＴＲＵの前記ディスプレイ上に提示される前記リストから前記使用可能なペリフェラルデバイスのうちの少なくとも１つを選択する工程
をさらに具えたことを特徴とする請求項１記載の方法。
【請求項５】
（ｄ）前記ＷＴＲＵの前記ディスプレイ上に使用可能なペリフェラルデバイスが存在しないことを示すメッセージを提示する工程
をさらに具えたことを特徴とする請求項１記載の方法。
【請求項６】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項１記載の方法。
【請求項７】
使用可能な補助デバイスに関連する少なくとも１つのペリフェラルデバイスに対するアクセスを有し、ディスプレイを伴って構成されている無線送信／受信ユニット（ＷＴＲＵ）を提供するためのペリフェラルデバイス選択ユニットであって、
（ａ）少なくとも１つの補助デバイスインターフェースと、
（ｂ）少なくとも１つのＷＴＲＵインターフェースと、
（ｃ）前記の少なくとも１つの補助デバイスインターフェースおよび前記ＷＴＲＵインターフェースと通信するプロセッサと
を具え、前記プロセッサは、前記ＷＴＲＵの現在のペリフェラルデバイス要件を決定し、前記ＷＴＲＵのディスプレイ上に前記少なくとも１つの補助デバイスに関連する現在使用可能なペリフェラルデバイスのリストを提示することを特徴とするペリフェラルデバイス選択ユニット。
【請求項８】
（ｄ）前記ＷＴＲＵの無線周波数（ＲＦ）環境をスキャンして、前記ＷＴＲＵに近い使用可能な任意の無線補助デバイスが存在するかどうかを決定する手段を
さらに具えたことを特徴とする請求項７記載のペリフェラル選択ユニット。
【請求項９】
（ｅ）使用可能な有線補助デバイスが存在するかどうかを決定する手段と、
（ｆ）無線補助デバイスおよび有線補助デバイスのうちの少なくとも一方に関連する少なくとも１つのペリフェラルデバイスレジストリをスキャンすることにより現在使用可能なペリフェラルデバイスの前記リストをコンパイルする手段と
をさらに具えたことを特徴とする請求項８記載のペリフェラル選択ユニット。
【請求項１０】
（ｄ）前記ＷＴＲＵの前記ディスプレイ上に提示される前記リストから前記使用可能なペリフェラルデバイスのうちの少なくとも１つを選択する手段を
さらに具えたことを特徴とする請求項７記載のペリフェラル選択ユニット。
【請求項１１】
（ｄ）前記ＷＴＲＵの前記ディスプレイ上に使用可能なペリフェラルデバイスが存在しないことを示すメッセージを提示する手段を
さらに具えたことを特徴とする請求項７記載のペリフェラル選択ユニット。
【請求項１２】
（ｄ）前記ＷＴＲＵの前記ディスプレイ上に前記デバイスのセキュリティレベルを示すメッセージを提示する手段を
さらに具えたことを特徴とする請求項７記載のペリフェラル選択ユニット。
【請求項１３】
（ｄ）前記ＷＴＲＵの前記ディスプレイ上に前記デバイスの信頼レベルを示すメッセージを提示する手段を
さらに具えたことを特徴とする請求項７記載のペリフェラル選択ユニット。
【請求項１４】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項７記載のペリフェラル選択ユニット。
【請求項１５】
少なくとも１つの使用可能な補助デバイスに関連する少なくとも１つのペリフェラルデバイスにアクセスするように構成される無線送信／受信ユニット（ＷＴＲＵ）であって、
（ａ）ディスプレイと、
（ｂ）少なくとも１つの補助デバイスインターフェースと、
（ｃ）前記少なくとも１つの補助デバイスインターフェースと通信するプロセッサと
を具え、前記プロセッサは、前記ＷＴＲＵの現在のペリフェラルデバイス要件を決定し、前記ディスプレイ上に前記少なくとも１つの使用可能な補助デバイスに関連する現在使用可能なペリフェラルデバイスのリストを提示することを特徴とするＷＴＲＵ。
【請求項１６】
前記ＷＴＲＵは、前記ＷＴＲＵの無線周波数（ＲＦ）環境をスキャンして、前記ＷＴＲＵに近い使用可能な任意の無線補助デバイスが存在するかどうかを決定することを特徴とする請求項１５記載のＷＴＲＵ。
【請求項１７】
前記ＷＴＲＵは、使用可能な有線補助デバイスが存在するかどうかを決定し、無線補助デバイスおよび有線補助デバイスのうちの少なくとも一方に関連する少なくとも１つのペリフェラルデバイスレジストリをスキャンすることにより、現在使用可能なペリフェラルデバイスの前記リストをコンパイルすることを特徴とする請求項１５記載のＷＴＲＵ。
【請求項１８】
ユーザは、前記ＷＴＲＵの前記ディスプレイ上に提示される前記リストから前記使用可能なペリフェラルデバイスのうちの少なくとも１つを選択することを特徴とする請求項１５記載のＷＴＲＵ。
【請求項１９】
使用可能な補助デバイスおよび／またはペリフェラルデバイスが存在しないときに、使用可能なペリフェラルデバイスが存在しないことを示すメッセージが、前記ＷＴＲＵの前記ディスプレイ上に提示されることを特徴とする請求項１５記載のＷＴＲＵ。
【請求項２０】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項１５記載のＷＴＲＵ。
【請求項２１】
少なくとも１つのペリフェラルデバイスにアクセスするように構成される無線送信／受信ユニット（ＷＴＲＵ）であって、
（ａ）ディスプレイと、
（ｂ）少なくとも１つの無線ペリフェラルデバイスインターフェースと、
（ｃ）前記少なくとも１つのペリフェラルデバイスインターフェースと通信するプロセッサと
を具え、前記プロセッサは、前記ＷＴＲＵの現在のペリフェラルデバイス要件を決定し、前記ディスプレイ上に現在使用可能なペリフェラルデバイスのリストを提示することを特徴とするＷＴＲＵ。
【請求項２２】
前記ＷＴＲＵは、前記ＷＴＲＵの無線周波数（ＲＦ）環境をスキャンして、前記ＷＴＲＵに近い使用可能な任意の無線ペリフェラルデバイスが存在するかどうかを決定することを特徴とする請求項２１記載のＷＴＲＵ。
【請求項２３】
前記ＷＴＲＵは、使用可能なペリフェラルデバイスが存在するかどうかを決定し、無線ペリフェラルデバイスまたは有線ペリフェラルデバイスのうちの少なくとも一方に関連する少なくとも１つのペリフェラルデバイスレジストリをスキャンすることにより、現在使用可能なペリフェラルデバイスの前記リストをコンパイルすることを特徴とする請求項２１記載のＷＴＲＵ。
【請求項２４】
ユーザは、前記ＷＴＲＵの前記ディスプレイ上に提示される前記リストから前記使用可能なペリフェラルデバイスのうちの少なくとも１つを選択することを特徴とする請求項２１記載のＷＴＲＵ。
【請求項２５】
使用可能なペリフェラルデバイスが存在しないときに、使用可能なペリフェラルデバイスが存在しないことを示すメッセージが、前記ＷＴＲＵの前記ディスプレイ上に提示されることを特徴とする請求項２１記載のＷＴＲＵ。
【請求項２６】
前記ＷＴＲＵの現在のペリフェラルデバイス要件は、以降のペリフェラルデバイス、すなわちキーボード、マウス、ディスプレイ、スピーカ、マイクロフォン、およびプリンタのうちの少なくとも１つを含むことを特徴とする請求項２１記載のＷＴＲＵ。
【請求項２７】
ディスプレイを有する無線送信／受信ユニット（ＷＴＲＵ）に対して少なくとも１つのペリフェラルデバイスを割り当てる方法であって、
（ａ）前記ＷＴＲＵと少なくとも１つの使用可能なペリフェラルデバイスとの間にインターフェースを設ける工程と、
（ｂ）前記ＷＴＲＵの現在のペリフェラルデバイス要件を決定する工程と、および
（ｃ）前記ＷＴＲＵの前記ディスプレイ上に現在使用可能なペリフェラルデバイスのリストを提示する工程と
を具えたことを特徴とする方法。
【請求項２８】
（ｄ）前記ＷＴＲＵの無線周波数（ＲＦ）環境をスキャンして、前記ＷＴＲＵに近い使用可能な任意の無線ペリフェラルデバイスが存在するかどうかを決定する工程と
をさらに具えたことを特徴とする請求項２７記載の方法。
【請求項２９】
（ｅ）使用可能な有線ペリフェラルが存在するかどうかを決定する工程と、および
（ｆ）無線または有線のペリフェラルデバイスに関連する少なくとも１つのペリフェラルデバイスレジストリをスキャンすることにより、現在使用可能なペリフェラルデバイスの前記リストをコンパイルする工程と
をさらに具えたことを特徴とする請求項２８記載の方法。
【請求項３０】
（ｄ）前記ＷＴＲＵの前記ディスプレイ上に提示される前記リストから前記使用可能なペリフェラルデバイスのうちの少なくとも１つを選択する工程と
をさらに具えたことを特徴とする請求項２７記載の方法。
【請求項３１】
（ｄ）前記ＷＴＲＵの前記ディスプレイ上に使用可能なペリフェラルデバイスが存在しないことを示すメッセージを提示する工程と
をさらに具えたことを特徴とする請求項２７記載の方法。
【請求項３２】
（ｄ）前記ＷＴＲＵの前記ディスプレイ上に前記デバイスのセキュリティレベルを示すメッセージを提示する工程を
さらに具えたことを特徴とする請求項２７記載の方法。
【請求項３３】
（ｄ）前記ＷＴＲＵの前記ディスプレイ上に前記デバイスの信頼レベルを示すメッセージを提示する工程を
さらに具えたことを特徴とする請求項２７記載の方法。
【請求項３４】
前記ＷＴＲＵの現在のペリフェラルデバイス要件は、以降のペリフェラルデバイス、すなわちキーボード、マウス、ディスプレイ、スピーカ、マイクロフォン、およびプリンタのうちの少なくとも１つを含むことを特徴とする請求項２７記載の方法。
【発明の詳細な説明】
【技術分野】
【０００１】
本発明は、ＷＴＲＵ（ｗｉｒｅｌｅｓｓ  ｔｒａｎｓｍｉｔ／ｒｅｃｅｉｖｅ  ｕｎｉｔ無線送信／受信ユニット）によって使用されるペリフェラル（ｐｅｒｉｐｈｅｒａｌ）に関する。より詳細には、本発明は、有線または無線の補助デバイスのペリフェラルデバイスの検出および選択的な利用をスムーズに進める、ＷＴＲＵと共に使用されるペリフェラルデバイス選択ユニット（ｐｅｒｉｐｈｅｒａｌ  ｄｅｖｉｃｅ  ｓｅｌｅｃｔｉｏｎ  ｕｎｉｔ）に関する。
【背景技術】
【０００２】
従来のＰＣ（ｐｅｒｓｏｎａｌ  ｃｏｍｐｕｔｅｒパーソナルコンピュータ）システム１００においては、図１に示されるように、複数の異なるペリフェラルデバイスが使用されて、情報および命令を入力すること、情報を表示すること、情報を記憶すること、情報を送信し受信すること、情報をプリントアウトすることなど様々なファンクションを実行する。ペリフェラルデバイスは、一般的にコンピュータコア（ｃｏｍｐｕｔｅｒ  ｃｏｒｅ）（すなわち、中央演算処理装置、メモリ、システムバスなど）１０５と一緒に動作して上記の様々なファンクションを実施するユーザインターフェースである。システム１００のペリフェラルデバイスは、マウス１１０と、キーボード１１５と、プリンタ１２０と、ディスプレイ１２５と、スピーカ１３０Ａおよび１３０Ｂとを含むことができる。
【０００３】
無線送信／受信ユニット（ＷＴＲＵ）は、一般的にポータブルコンピュータ（すなわち、ラップトップ、移動局、ＰＤＡ（ｐｅｒｓｏｎａｌ  ｄｉｇｉｔａｌ  ａｓｓｉｓｔａｎｔ携帯型個人情報端末）、セル電話、ページャなど）であり、これらのポータブルコンピュータは、一般にいくつかの機能態様および物理態様を共通に有する。例えば、すべてのＷＴＲＵは、プロセッサ（すなわち、ＣＰＵ（ｃｅｎｔｒａｌ  ｐｒｏｃｅｓｓｉｎｇ  ｕｎｉｔ中央演算処理装置）、コントローラ）、メモリ、トランスミッタ、レシーバ、ユーザインターフェース、および電源を有する。ユーザインターフェースは、一般的に情報を出力するためのディスプレイと、少なくとも１つのキーボード、キーパッド、マウスまたは他のナビゲーションデバイス、あるいは音声認識メカニズムなどとを含んでおり、これは、ＷＴＲＵのディスプレイ上に提示されるアルファニューメリックの情報および／または命令を入力し、ディスプレイ上に提示されるアイテムを選択するために使用される。一般的に、ユーザインターフェースは、ＷＴＲＵ中に組み込まれる。
【発明の開示】
【発明が解決しようとする課題】
【０００４】
それらのコンパクトなサイズに起因して、ＷＴＲＵのユーザインターフェースは、使用するのが難しい、かつ／またはあまりにも複雑すぎるなど、いくつかの短所を有する。さらにＷＴＲＵの機能を拡張するために使用される技術は、多くの場合にＷＴＲＵの全体的なコストをかなり増大させる。ＷＴＲＵに大規模な使いやすいユーザインターフェース、大容量のメモリ、および長寿命のバッテリを装備することと、ＷＴＲＵをできる限り小型に軽量にすることとの間には固有のトレードオフが存在する。
【０００５】
したがって、ＷＴＲＵの機能を改善しながら、ＷＴＲＵに含まれる必要があるハードウェア量を低減させることが望ましい。
【課題を解決するための手段】
【０００６】
本発明は、無線送信／受信ユニット（ＷＴＲＵ）に少なくとも１つのペリフェラルデバイス、および／または使用可能な補助デバイスに関連する少なくとも１つのペリフェラルデバイスに対するアクセスを提供するための方法および装置である。ＷＴＲＵの現在のペリフェラルデバイス要件が決定される。ＷＴＲＵのＲＦ（ｒａｄｉｏ  ｆｒｅｑｕｅｎｃｙ無線周波数）環境がスキャンされて、ＷＴＲＵの近くに使用可能な無線補助デバイスが存在するかどうかを決定する。決定はまた、使用可能な有線の補助デバイスが存在するかどうかについても行われる。現在使用可能なペリフェラルデバイスのリストが、無線補助デバイスおよび有線補助デバイスのうちの少なくとも一方に関連する少なくとも１つのペリフェラルデバイスレジストリ（ｐｅｒｉｐｈｅｒａｌ  ｄｅｖｉｃｅ  ｒｅｇｉｓｔｒｙ）をスキャンすることによりコンパイル（ｃｏｍｐｉｌｅ）される。そのリストは、ＷＴＲＵのディスプレイ上に提示され、ユーザは、そのリストから使用可能なペリフェラルデバイスの少なくとも１つを選択する。
【０００７】
本発明のより詳細な理解は、例として与えられ、添付図面と併せて理解されるべき以降の説明から得ることができる。
【発明を実施するための最良の形態】
【０００８】
以降では、専門用語「ＷＴＲＵ」は、それだけには限定されないが、無線環境中で動作することが可能な、ＵＥ（ｕｓｅｒ  ｅｑｕｉｐｍｅｎｔユーザ装置）、ＰＤＡ、移動局、固定またはモバイルの加入者ユニット、ページャ、ラップトップコンピュータ、または他の任意のタイプのデバイスを含んでいる。
【０００９】
本発明の機能は、ＩＣ（ｉｎｔｅｇｒａｔｅｄ  ｃｉｒｃｕｉｔ集積回路）に組み込むことができ、多数の相互接続するコンポーネントを備える回路の形に構成することができる。
【００１０】
図２は、ディスプレイ２０８と、ペリフェラルデバイス選択ユニット２１０と、無線補助デバイス２１５と、有線補助デバイス２５５とを有するＷＴＲＵ２０５を含む無線通信システム２００を示すものである。システム２００の補助デバイスは、マウス２６０と、キーボード２６５と、プリンタ２２０と、ディスプレイ２７５と、スピーカ２８０Ａおよび２８０Ｂを含む複数のペリフェラルデバイスを含むことができる。一実施形態においては、ペリフェラルデバイス選択ユニット２１０は、物理インターフェース２２５を経由してＷＴＲＵ２０５に電気的に結合することができる。別の実施形態においては、ペリフェラルデバイス選択ユニット２１０は、ＷＴＲＵ２０５に恒久的に組み込むことができる。さらに別の実施形態においては、ペリフェラルデバイス選択ユニット２１０は、ＩＣ中に組み込むことができる。ペリフェラルデバイス選択ユニット２１０は、ＷＴＲＵ２０５によって使用するための補助デバイス２１５、２５５のうちの少なくとも一方によって実現される使用可能なペリフェラルの存在を検出し、選択する。
【００１１】
図３は、ペリフェラルデバイス選択ユニット２１０のブロック図である。ペリフェラルデバイス選択ユニット２１０は、プロセッサ３０５と、メモリ３１０と、ＷＴＲＵ  Ｉ／Ｏインターフェースユニット３１５と、無線補助デバイスＩ／Ｏインターフェースユニット３２０と、有線補助デバイスＩ／Ｏインターフェースユニット３２２と、配電ユニット３２５と、バッテリ３３０と、誘導ユニット３３５と、電源インターフェース３４０とを含む。
【００１２】
プロセッサ３０５は、メモリ３１０と、ＷＴＲＵ  Ｉ／Ｏインターフェースユニット３１５と、補助デバイスＩ／Ｏインターフェースユニット３２０と、配電ユニット３２５とに電気的に結合され、プロセッサ３０５上で実行される補助制御プロセスに従って、ペリフェラルデバイス選択ユニット２１０のこれらのコンポーネントを制御する。プロセッサ３０５は、ペリフェラルデバイス選択ユニット２１０の機能を制御して、補助デバイスの利用を検出し選択する。
【００１３】
ＷＴＲＵ  Ｉ／Ｏインターフェースユニット３１５は、インターフェース２２５を経由してペリフェラルデバイス選択ユニット２１０とＷＴＲＵ２０５との間のデータの入力および出力のリンクを提供する。ＷＴＲＵ２０５とペリフェラルデバイス選択ユニット２１０との間で伝送されるすべてのデータは、ＷＴＲＵ  Ｉ／Ｏインターフェースユニット３１５を経由して伝送される。ＷＴＲＵ  Ｉ／Ｏインターフェースユニット３１５は、データも電力も伝送されることを可能にする業界標準インターフェースであることが好ましい。一実施形態においては、ＷＴＲＵ  Ｉ／Ｏインターフェースユニット３１５により、配電ユニット３２５によって供給される電力がＷＴＲＵ２０５に伝送されて、ＷＴＲＵ２０５の電源を再充電することができるようになる。例えば、ＷＴＲＵ  Ｉ／Ｏインターフェースユニットは、データと電力の両方の伝送を行うことができるようにする１０Ｔインターフェース、１００ＴインターフェースまたはＵＳＢインターフェースを含んでいてもよい。
【００１４】
無線補助デバイスＩ／Ｏインターフェースユニット３２０により、ペリフェラルデバイス選択ユニット２１０は、アンテナ２３０を経由して少なくとも１つの無線補助デバイス２１５と通信することができるようになる。有線補助デバイスＩ／Ｏインターフェースユニット３２２により、ペリフェラルデバイス選択ユニット２１０は、有線接続３５０を経由して少なくとも１つの有線補助デバイス２５５と通信することができるようになる。有線補助デバイス２５５と通信するときに、有線補助デバイスＩ／Ｏインターフェースユニット３２２は、データと電力の両方が有線接続３５０を経由して伝送されることを可能にする標準インターフェースとすることができる。一実施形態においては、ペリフェラルデバイス選択ユニット２１０が有線接続３５０を経由して有線補助デバイス２５５に接続されるときに、ペリフェラルデバイス選択ユニット２１０は、有線補助デバイスＩ／Ｏインターフェースユニット３２２を配電ユニット３２５に接続するバッテリ充電線３６５を介して有線補助デバイス２５５によって供給される電力を使用してそのバッテリ３３０を再充電することができる。
【００１５】
プロセッサ３０５と一緒に動作する無線補助デバイスＩ／Ｏインターフェースユニット３２０により、ペリフェラルデバイス選択ユニット２１０は、それだけには限定されないが例えばブルートゥース（Ｂｌｕｅｔｏｏｔｈ）、８０２．１１ｘ、ＣＤＭＡ、ＴＤＭＡ、ＧＳＭを含めて様々なネットワークプロトコルを使用して補助デバイス２１５と通信することができるようになる。複数の例示のネットワークプロトコルを使用して、使用可能な補助デバイスの選択におけるより大きな柔軟性をもたらすことができる。
【００１６】
配電ユニット３２５は、ペリフェラルデバイス選択ユニット２１０のコンポーネントへの電源供給（ｐｏｗｅｒ  ｆｅｅｄ）Ｄ１〜Ｄ５をもたらす。配電ユニット３２５はまた、ペリフェラルデバイス選択ユニット２１０によって実施されるファンクションの頻度を調整することにより、電力消費を制御する。ＷＴＲＵ  Ｉ／Ｏインターフェースユニット３１５を経由したＷＴＲＵ２０５と、有線補助デバイスＩ／Ｏインターフェースユニット３２２を経由した補助デバイスとを伴う電力伝送は、配電ユニット３２５によって制御される。配電ユニット３２５は、標準の電気コンセント３８０から電力を受け取って、ペリフェラルデバイス選択ユニット２１０を動作させ、バッテリ３３０を再充電し、ＷＴＲＵ２０５に電力を供給し、ＷＴＲＵのバッテリを再充電する。
【００１７】
本発明の一実施形態によれば、配電ユニット３２５は、誘導充電ベース（ｉｎｄｕｃｔｉｏｎ  ｃｈａｒｇｉｎｇ  ｂａｓｅ）３４５を用いて誘導充電ユニット３３５をインターフェースすることにより、電力を獲得することができる。これにより、ペリフェラルデバイス選択ユニット２１０は、そのバッテリを無線で再充電することができるようになる。
【００１８】
ペリフェラルデバイス選択ユニット２１０は、様々な方法で電力を供給し充電することができる。バッテリ３３０は、外部電源を必要とせずにペリフェラルデバイス選択ユニット２１０に電力を供給することができ、携帯性を可能にしている。バッテリ３３０は、互換性のある誘導充電ベース３４５と共に使用されるときには誘導充電ユニット３３５によって無線で充電することができる。誘導充電ベース３４５は、バッテリ３３０を充電することができる誘導充電ユニット３３５中に電流を誘導する磁束を生成する。したがって、ペリフェラルデバイス選択ユニット２１０には、便利な無線の充電機能がもたらされる。外部電源インターフェース３４０により、ユーザは、プラグ３８０を経由してその装置を標準の電気コンセントに差し込むことができるようになる。配電ユニット３２５は、誘導を経由した無線バッテリ充電か、あるいは外部電源インターフェース３４０を経由した有線バッテリ充電の間で選択するように構成される。
【００１９】
配電ユニット３２５はさらに、ペリフェラルデバイス選択ユニット２１０およびＷＴＲＵ２０５の電力の利用と、その間の電力伝送、ならびにペリフェラルデバイス選択ユニット２１０に接続された補助デバイスを管理する。電力は、有線補助デバイスＩ／Ｏインターフェースユニット３２２を経由して補助デバイスと、あるいはＷＴＲＵ  Ｉ／Ｏインターフェースユニット３１５を経由してＷＴＲＵ２０５と交換することができる。ペリフェラルデバイス選択ユニット２１０は、配電ユニット３２５によって供給される様々な電力利用オプションを制御するユーザ設定を有することが好ましい。
【００２０】
図４は、本発明による、ペリフェラルデバイス選択ユニット２１０を使用した、使用可能なペリフェラルデバイスを検出し選択するための方法ステップを含むプロセス４００の流れ図である。プロセス４００は、ＷＴＲＵ監視プロセスを含んでおり、それによってプロセッサ３０５は、ＷＴＲＵ  Ｉ／Ｏインターフェースユニット３１５を経由してＷＴＲＵ２０５を監視して、ＷＴＲＵ２０５が現在任意のペリフェラルデバイスを必要とするかどうかを決定する（ステップ４０５）。
【００２１】
例えば、ＷＴＲＵ２０５がスマートフォン（ｓｍａｒｔ  ｐｈｏｎｅ）である場合、ＷＴＲＵ２０５のペリフェラルデバイス要件は、キーボード２６５、マウス２６０、ディスプレイ２７５、スピーカ２８０Ａ、２８０Ｂ、およびマイクロフォンとすることができる。無線ラップトップがＷＴＲＵ２０５に近いので、これらのペリフェラルを有する無線ラップトップが現在使用可能である場合、これらのペリフェラルは、ＷＴＲＵ２０５と共に使用するために割り当てられて、ＷＴＲＵ２０５のユーザが、（ラップトップのキーボードを使用して）ＷＴＲＵのディレクトリにデータを入力し、（ラップトップのキーボードおよび／またはマウスを使用して）ＷＴＲＵ２０５のオペレーティングシステムに含まれるメニューをナビゲートし、（ラップトップのディスプレイを使用して）アプリケーション出力を表示し、（この場合もやはり、ラップトップのディスプレイを使用して）ＷＴＲＵのメモリに記憶された画像を表示し、（ラップトップのスピーカおよびマイクロフォンを使用して）ハンドフリーの会話を続けることなどを可能にすることができる。次いでプロセッサ３０５は、ＷＴＲＵ２０５が少なくとも１つのペリフェラルデバイスを必要とするかどうかを決定する（ステップ４１０）。プロセッサ３０５が、ＷＴＲＵ２０５によって現在必要とされる補助デバイスが存在しないことを決定する場合、プロセス４００は、ステップ４０５へと戻る。したがって、ＷＴＲＵ監視プロセスは、ＷＴＲＵ２０５のペリフェラルデバイス要件を絶えず監視し、ＷＴＲＵ２０５が１つまたは複数のペリフェラルデバイスを必要とするかどうかを自動的に決定する。
【００２２】
プロセス４００は、ペリフェラルスキャンニングプロセス（ｐｅｒｉｐｈｅｒａｌ  ｓｃａｎｎｉｎｇ  ｐｒｏｃｅｓｓ）をさらに含んでおり、それによってプロセッサ３０５は、ＷＴＲＵ２０５と補助デバイスの２１５、２５５のうちの少なくとも一方をスキャンする。ステップ４１５において、プロセッサ３０５は、ＷＴＲＵ  Ｉ／Ｏインターフェースユニット３１５を経由してＷＴＲＵ２０５をスキャンして、ＷＴＲＵ２０５の機能を決定する（ステップ４１５）。本発明についての１つの動機は、ＷＴＲＵ２０５に組み込まれる必要があるＩ／Ｏデバイス数を減少させて、スタンドアローン機能のあるレベルを維持することであるが、ＷＴＲＵ２０５があるＩ／Ｏ機能を所有することは依然として必要である。
【００２３】
ステップ４２０において、プロセッサ３０５と無線補助デバイスＩ／Ｏインターフェースユニット３２０は、ＲＦ環境をスキャンして、ＷＴＲＵ２０５の近くに使用可能な任意の無線補助デバイス２１５が存在するかどうかを決定する。無線補助デバイス２１５によって保持されるペリフェラル３８５のレジストリは、ペリフェラルデバイス選択ユニット２１０に有線補助デバイス２１５のペリフェラル機能、使用可能性、および要件をもたらす。
【００２４】
ペリフェラルデバイス選択ユニット２１０は、それだけには限定されないが、８０２．１１ｘ、ＴＤＭＡ、ＣＤＭＡ、ＧＳＭ、ブルートゥースなどを含めて、様々な無線周波数（ＲＦ）ネットワークをスキャンすることができる。プロセッサ３０５は、例えばポーリングすること、ビーコンによってトリガされるローカルレジストリを用いて検査すること、ＨＬＲを使用したグローバルレジストリで検査すること、またはブルートゥースやＪＩＮＩなどのネットワーキングプロトコルを使用することを経由して各無線補助デバイス２１５の機能およびファンクションを認識する。
【００２５】
ステップ４２５において、プロセッサ３０５および有線補助デバイスＩ／Ｏインターフェースユニット３２２は、スキャンして、有線補助デバイスＩ／Ｏインターフェースユニット３２２に接続された使用可能な任意の有線補助デバイス２５５が存在するかどうかを決定する。ペリフェラルデバイス選択ユニット２１０（例えば、ＵＳＢ、１０Ｔ、１００Ｔなど）は、有線補助デバイスＩ／Ｏインターフェースユニット３２２に接続された任意の有線補助デバイス２５５に対する高速有線接続を提供する。有線補助デバイス２５５によって保持されるペリフェラル３９０のレジストリは、ペリフェラルデバイス選択ユニット２１０に有線補助デバイス２５５のペリフェラル機能、使用可能性、および要件を提供する。
【００２６】
ステップ４３０において、プロセッサ３０５は、補助デバイス２１５、２５５のうちの現在使用可能なペリフェラルデバイスのリストをコンパイルしメモリ３１０に記憶する。ステップ４１５、４２０、４２５および４３０において実施されるペリフェラル監視プロセスは、プロセッサ３０５が、ＷＴＲＵ２０５によって使用するために使用可能な現在使用可能なペリフェラルデバイスのリストを絶えずコンパイルしアップデートするときに、継続的に反復する。ペリフェラル監視プロセスは、設定された間隔で、またはあらかじめ定義された条件が満たされるときに反復することが好ましい。無線補助デバイスＩ／Ｏインターフェースユニットを経由したスキャンニングは、比較的大きな電力量を必要とする。したがって、ステップ４２０の電力集約的ＲＦスキャンニングの頻度を最小限にすることが望ましい。例えば、ペリフェラルデバイス選択ユニット２１０は、様々な手段によって位置の自己認識性を有し、モバイルであるときにＲＦスキャンニングに従事することだけができる。代わりに、プロセッサ３０５がスキャンする頻度は、ペリフェラルデバイス選択ユニット２０５が、ある設定された期間の間アイドル状態のままであるときに低減させられることもある。
【００２７】
プロセッサ３０５は、現在使用可能なペリフェラルデバイスのコンパイルされたリストをスキャンして、必要とされる任意のペリフェラルデバイスが現在使用可能であるかどうかを決定する（ステップ４３５）。
【００２８】
ＷＴＲＵ２０５の現在のペリフェラル要件を満たす、使用可能な複数のペリフェラルデバイスが存在するとステップ４４０において決定される場合、使用可能なペリフェラルデバイスのリストは、ユーザが、ＷＴＲＵ２０５と共に使用するために割り当てられるべきペリフェラルのうちの特定のペリフェラルを選択することができるようにＷＴＲＵ２０５のディスプレイ２０８上に表示される（ステップ４４５）。代わりに、ユーザの好ましいペリフェラルデバイスが、そのペリフェラルデバイスが使用可能になるときに利用するために自動的に選択されることもある。
【００２９】
使用可能な必要とされるペリフェラルデバイスが１つだけ存在するとステップ４５５において決定される場合には、その１つの使用可能なペリフェラルデバイスは、自動的に選択され、ＷＴＲＵ２０５と共に利用するために割り当てられる（ステップ４６５）。
【００３０】
現在使用可能な必要とされるペリフェラルデバイスが存在しない場合には、装置は、必要とされるデバイスが使用可能でないことをユーザに通知するメッセージを表示する（ステップ４６０）。次いでペリフェラル割当てプロセスは、ステップ４３５へと戻る。これにより、ユーザは、必要とされるペリフェラルデバイスをターンオン（ｔｕｒｎ  ｏｎ）し、接続し、そうでない場合には使用可能にすることができるようになる。その必要とされるペリフェラルは、スキャンニングプロセスによって認識され、次いでステップ４３５において現在使用可能なペリフェラルデバイスのスキャンされたリスト中に現れることになる。
【００３１】
補助デバイス選択ユニット２１０は、バッテリ３３０およびＷＴＲＵ２０５の現在の電源ステータスに基づいて、ペリフェラルデバイスに対する接続を接続し、切断し、さらに管理する。ＷＴＲＵは、一般的にバッテリ電源で動作するモバイルデバイス（ｍｏｂｉｌｅ  ｄｅｖｉｃｅ）である。バッテリは、比較的大きく重く、したがってＷＴＲＵ２０５の移動性および使用の簡単さを低減させる。したがって、ＷＴＲＵ２０５による電力使用量を最小にすることが望ましく、これは、それに応じてバッテリのサイズおよび重さを低減させ、ＷＴＲＵ２０５の移動性および使用の簡単さを増大させる。したがって、配電ユニット３２５は、補助デバイス選択ユニット２１０が電源についてバッテリ３３０だけに依存しているときに、ＲＦスキャンニングを低減させて電力を節約するように無線補助デバイスＩ／Ｏインターフェースユニット３２０に信号で伝えることができる。これは、電源Ｄ４を無線補助デバイスＩ／Ｏインターフェースユニット３２０だけに制限することにより達成され、それによりペリフェラルデバイス選択ユニットの伝送範囲を低減させる。配電ユニット３２５は、装置がバッテリ電力だけで動作している間にユーザがペリフェラルディスプレイを選択するときに、ディスプレイ２０８をターンオフするようにＷＴＲＵ２０５に信号で伝えることもできる。様々な他の電力制御方法を配電ユニット３２５によって使用して、バッテリ３３０とＷＴＲＵ２０５のバッテリの両方の寿命を最適化することができる。
【００３２】
本発明の別の実施形態においては、装置は、装置とコアデバイスとの間、ならびに装置と補助デバイスとの間で転送される慎重な扱いを要するデータを保護することができるようになる。データが交換される前に、装置は、補助デバイスとのセキュリティハンドシェイク（ｓｅｃｕｒｉｔｙ  ｈａｎｄｓｈａｋｅ）を実施することになる。このセキュリティハンドシェイクは、シリアル番号、パスワードログイン、ＩＰアドレス、ＷＥＰ、または他のデータセキュリティの方法に基づくことができる。ペリフェラルデバイス選択ユニット２１０は、ＷＴＲＵ２０５のディスプレイ２０８上に補助デバイスとの接続のセキュリティレベルおよび／または信頼レベルを示すメッセージを表示することになる。
【００３３】
本発明の別の実施形態においては、補助デバイスが複数のペリフェラルに接続されたパーソナルコンピュータであるときに、補助デバイスは、補助デバイスによって制御されるＧＵＩ（ｇｒａｐｈｉｃａｌ  ｕｓｅｒ  ｉｎｔｅｒｆａｃｅグラフィックユーザインターフェース）がＧＵＩによって表示される別個のウィンドウ中に複数のペリフェラルのおのおのを表示することができるようにする機能を有することになる。これにより、複数のデバイスを携帯するユーザは、例えばパーソナルコンピュータが存在する作業スペースに入り、補助デバイスのＧＵＩ上の適切なウィンドウを選択することにより、デバイスと対話することができるようになる。
【００３４】
例えば、あるデバイスがスマートフォンである場合、ユーザは、補助デバイスのＧＵＩによって表示される複数のウィンドウからスマートフォンウィンドウ（ｓｍａｒｔ  ｐｈｏｎｅ  ｗｉｎｄｏｗ）を選択し、キーボード、マウス、および他のペリフェラルデバイスを利用して、スマートフォンと対話することができる。ウィンドウは、スマートフォンからのグラフィック出力を含むことになる。ユーザがスマートフォンウィンドウを閉じるときに、スマートフォンと補助デバイスとの間の接続は、終了されることになる。
【００３５】
本発明の別の実施形態においては、図５を参照すると、ペリフェラルデバイス選択ユニット２１０の機能は、ＷＴＲＵ５１０に組み込まれる。さらに、この実施形態は、マウス５２０、プリンタ５３０、ディスプレイ５４０、キーボード５５０など複数の無線ペリフェラルデバイスと、モニタ５６０などの有線ペリフェラルデバイスとを示しており、この有線ペリフェラルデバイスは、ケーブルインターフェース５６５を経由してＷＴＲＵ５１０とインターフェースすることができ、このケーブルインターフェースは、どのような補助デバイスにも関連していない。無線ペリフェラルデバイスは、ＷＴＲＵ５１０の範囲内に存在することができる。無線ペリフェラルデバイスには、それだけには限定されないが例えばブルートゥース、８０２．１１ｘ、ＣＤＭＡ、ＴＤＭＡ、ＧＳＭ、赤外線を含めて、様々なネットワークプロトコルを使用して、ＷＴＲＵ５１０と通信するための手段が装備される。ＷＴＲＵ５１０は、無線ペリフェラルデバイスとインターフェースするためのアンテナ５１５を有する。
【００３６】
図６は、それに組み込まれたペリフェラルデバイス選択ユニット機能を有するＷＴＲＵ５１０のブロック図である。ＷＴＲＵ５１０は、プロセッサ６２０と、メモリ６３０と、無線ペリフェラルデバイスＩ／Ｏインターフェースユニット６４０と、有線ペリフェラルデバイスＩ／Ｏインターフェースユニット６５０と、配電ユニット６６０とを含む。
【００３７】
プロセッサ６２０は、メモリ６３０と、無線ペリフェラルデバイスＩ／Ｏインターフェースユニット６４０と、有線ペリフェラルデバイスＩ／Ｏインターフェースユニット６５０と、配電ユニット６６０と、他のＷＴＲＵコンポーネント６７０とに電気的に結合される。プロセッサ６２０は、ＷＴＲＵ５１０の機能を制御して、無線ペリフェラルデバイス６４５と有線ペリフェラルデバイス６５５を検出し、それらを選択的に利用する。
【００３８】
他のＷＴＲＵコンポーネント６７０は、ＷＴＲＵ５１０の性質に応じて様々なコンポーネントを含むことができる。例えば、ＷＴＲＵ５１０がスマートフォンである場合、他のＷＴＲＵコンポーネント６７０は、電話番号をダイアルするためのキーパッド、電話番号を記憶するためのメモリ、通信を送信し受信するためのトランシーバなどを含むことができる。例えば、ＷＴＲＵ５１０がＰＤＡである場合には、他のＷＴＲＵコンポーネントは、データ入力のための接触感受性スクリーン（ｔｏｕｃｈ  ｓｅｎｓｉｔｉｖｅ  ｓｃｒｅｅｎ）、手書き−テキスト変換器（ｈａｎｄｗｒｉｔｉｎｇ−ｔｏ−ｔｅｘｔ  ｃｏｎｖｅｒｔｅｒ）などを含むことができる。
【００３９】
無線ペリフェラルデバイスＩ／Ｏインターフェースユニット６４０により、ＷＴＲＵ５１０は、アンテナ５１５を経由して少なくとも１つの無線ペリフェラルデバイス６４５と通信することができるようになる。有線ペリフェラルデバイスＩ／Ｏインターフェースユニット６５０により、ＷＴＲＵ５１０は、ケーブルインターフェース５６５を経由して少なくとも１つの有線ペリフェラルデバイス６５５と通信することができるようになる。有線ペリフェラルデバイス６５５と通信するときに、有線ペリフェラルデバイスＩ／Ｏインターフェースユニット６５０は、データも電力もケーブルインターフェース５６５を経由して転送されることを可能にする標準インターフェースとすることができる。一実施形態においては、ＷＴＲＵ５１０がケーブルインターフェース５６５を経由して有線ペリフェラルデバイス６５５に接続されるときに、配電ユニット６６０は、ケーブルインターフェース５６５および充電線６５９を経由して有線ペリフェラルデバイス６５５から電力を獲得することができる。この電力を使用して、ＷＴＲＵ５１０のバッテリ６８０を充電することができる。
【００４０】
プロセッサ６２０と一緒に動作する無線ペリフェラルデバイスＩ／Ｏインターフェースユニット６４０により、ＷＴＲＵ５１０は、アンテナ５１５を経由して、それだけには限定されないが、例えばブルートゥース、８０２．１１ｘ、ＣＤＭＡ、ＴＤＭＡ、ＧＳＭを含めて様々なネットワークプロトコルを使用して、無線ペリフェラルデバイス６４５と通信することができるようになる。複数の例示のネットワークプロトコルを使用して、使用可能なペリフェラルデバイスの選択におけるより大きな柔軟性をもたらすことができる。無線ペリフェラル６４５も有線ペリフェラル６５５も、ＷＴＲＵ５１０によるペリフェラル６４５、６５５の検出および選択的利用をスムーズに進めるために、それらのそれぞれの機能、使用可能性、および要件のレジストリを保持する。
【００４１】
配電ユニット６６０は、ＷＴＲＵ５１０のコンポーネントに対して電源供給Ｄ１〜Ｄ５をもたらす。配電ユニット６６０はまた、ＷＴＲＵ５１０によって実施されるファンクションの頻度を調整することにより、電力消費を制御する。
【００４２】
ＷＴＲＵ５１０は、ＷＴＲＵ５１０と任意の無線ペリフェラル６４５または有線ペリフェラル６５５との間で転送される慎重な扱いを要するデータを保護することができるようになる。データが交換される前に、ＷＴＲＵ５１０は、ペリフェラルデバイスとのセキュリティハンドシェイクを実施することになる。このセキュリティハンドシェイクは、シリアル番号、パスワードログイン、ＩＰアドレス、ＷＥＰ、またはデータセキュリティの他の方法に基づいたものとすることができる。ＷＴＲＵ５１０は、ペリフェラルデバイス６４５、６５５との接続のセキュリティレベルおよび／または信頼レベルを示すメッセージを表示することになる。
【００４３】
本発明の機能および要素は、特定の組合せにおける好ましい実施形態の形で説明されているが、おのおのの機能または要素は、（好ましい諸実施形態の他の機能および要素なしに）単独で、あるいは本発明の他の機能および要素を伴う、または伴わない様々な組合せの形で使用することができる。さらに、形態および詳細の様々な変更が、本発明の範囲を逸脱することなくその中で行われてもよいことが当業者には理解されよう。
【図面の簡単な説明】
【００４４】
【図１】従来のコンピュータシステムを示す図である。
【図２】本発明による、ＷＴＲＵと一緒に使用されるペリフェラルデバイス選択ユニットを含む無線通信システムを示す図である。
【図３】使用可能な補助デバイスを検出し選択するための、図２のシステム中で使用されるペリフェラルデバイス選択ユニットの詳細なブロック図である。
【図４】図３のペリフェラルデバイス選択ユニットを使用して使用可能な補助デバイスを検出し選択するための方法ステップを含むプロセスの流れ図である。
【図５】無線および有線のペリフェラルデバイスと通信する一体化されたペリフェラルデバイス選択ユニット機能を有するＷＴＲＵを示す図である。
【図６】使用可能なペリフェラルデバイスを検出し選択するための、図５のシステム中において使用される一体化されたペリフェラルデバイス選択ユニット機能を有するＷＴＲＵの詳細なブロック図である。
【図１】
2008520038.tif 000003
【図２】
2008520038.tif 000004
【図３】
2008520038.tif 000005
【図４】
2008520038.tif 000006
【図５】
2008520038.tif 000007
【図６】
2008520038.tif 000008
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
ディスプレイを有する無線送信／受信ユニット（ＷＴＲＵ）に対して使用可能な補助デバイスに関連する少なくとも１つのペリフェラルデバイスを割り当てる方法であって、
（ａ）複数の無線周波数をスキャンして、複数のネットワークプロトコルを使用して使用可能な無線補助デバイスを識別する工程と、
（ｂ）前記ＷＴＲＵと少なくとも１つの使用可能な補助デバイスとの間にインターフェースを設ける工程と、
（ｃ）前記ＷＴＲＵの現在のペリフェラルデバイス要件を決定する工程と、
（ｄ）前記ＷＴＲＵの前記ディスプレイ上に前記少なくとも１つの補助デバイスに関連する現在使用可能なペリフェラルデバイスのリストを提示する工程と
を具えたことを特徴とする方法。
【請求項２】
前記複数のネットワークプロトコルは、符号分割多重化（ＣＤＭＡ）、８０２．１１ｘ、時分割多重化（ＴＤＭＡ）、および移動体通信用グローバルシステム（ＧＳＭ）のうちの少なくとも１つを含むことを特徴とする請求項１記載の方法。
【請求項３】
（ｅ）使用可能な有線補助デバイスが存在するかどうかを決定する工程と、
（ｆ）無線補助デバイスおよび有線補助デバイスのうちの少なくとも一方に関連する少なくとも１つのペリフェラルデバイスレジストリをスキャンすることにより、現在使用可能なペリフェラルデバイスの前記リストをコンパイルする工程と
をさらに具えたことを特徴とする請求項２記載の方法。
【請求項４】
（ｅ）前記ＷＴＲＵの前記ディスプレイ上に提示される前記リストから前記使用可能なペリフェラルデバイスのうちの少なくとも１つを選択する工程
をさらに具えたことを特徴とする請求項１記載の方法。
【請求項５】
（ｅ）前記ＷＴＲＵの前記ディスプレイ上に使用可能なペリフェラルデバイスが存在しないことを示すメッセージを提示する工程
をさらに具えたことを特徴とする請求項１記載の方法。
【請求項６】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項１記載の方法。
【請求項７】
使用可能な補助デバイスに関連する少なくとも１つのペリフェラルデバイスに対するアクセスを有し、ディスプレイを伴って構成されている無線送信／受信ユニット（ＷＴＲＵ）を提供するためのペリフェラルデバイス選択ユニットであって、
（ａ）少なくとも１つの補助デバイスインターフェースと、
（ｂ）少なくとも１つのＷＴＲＵインターフェースと、
（ｃ）複数の無線周波数をスキャンして複数のネットワークプロトコルを使用して使用可能な補助デバイスを識別するように構成されるスキャナと、
（ｄ）前記の少なくとも１つの補助デバイスインターフェースおよび前記ＷＴＲＵインターフェースと通信するプロセッサと
を具え、前記プロセッサは、前記ＷＴＲＵの現在のペリフェラルデバイス要件を決定し、前記ＷＴＲＵのディスプレイ上に前記少なくとも１つの補助デバイスに関連する現在使用可能なペリフェラルデバイスのリストを提示することを特徴とするペリフェラルデバイス選択ユニット。
【請求項８】
前記複数のネットワークプロトコルは、符号分割多重化（ＣＤＭＡ）、８０２．１１ｘ、時分割多重化（ＴＤＭＡ）、および移動体通信用グローバルシステム（ＧＳＭ）のうちの少なくとも１つを含むことを特徴とする請求項７記載のペリフェラル選択ユニット。
【請求項９】
（ｅ）使用可能な有線補助デバイスが存在するかどうかを決定する手段と、
（ｆ）無線補助デバイスおよび有線補助デバイスのうちの少なくとも一方に関連する少なくとも１つのペリフェラルデバイスレジストリをスキャンすることにより現在使用可能なペリフェラルデバイスの前記リストをコンパイルする手段と
をさらに具えたことを特徴とする請求項７記載のペリフェラル選択ユニット。
【請求項１０】
（ｅ）前記ＷＴＲＵの前記ディスプレイ上に提示される前記リストから前記使用可能なペリフェラルデバイスのうちの少なくとも１つを選択する手段を
さらに具えたことを特徴とする請求項７記載のペリフェラル選択ユニット。
【請求項１１】
（ｅ）前記ＷＴＲＵの前記ディスプレイ上に使用可能なペリフェラルデバイスが存在しないことを示すメッセージを提示する手段を
さらに具えたことを特徴とする請求項７記載のペリフェラル選択ユニット。
【請求項１２】
（ｅ）前記ＷＴＲＵの前記ディスプレイ上に前記デバイスのセキュリティレベルを示すメッセージを提示する手段を
さらに具えたことを特徴とする請求項７記載のペリフェラル選択ユニット。
【請求項１３】
（ｅ）前記ＷＴＲＵの前記ディスプレイ上に前記デバイスの信頼レベルを示すメッセージを提示する手段を
さらに具えたことを特徴とする請求項７記載のペリフェラル選択ユニット。
【請求項１４】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項７記載のペリフェラル選択ユニット。
【請求項１５】
少なくとも１つの使用可能な補助デバイスに関連する少なくとも１つのペリフェラルデバイスにアクセスするように構成される無線送信／受信ユニット（ＷＴＲＵ）であって、
（ａ）ディスプレイと、
（ｂ）複数の無線周波数をスキャンして複数のネットワークプロトコルを使用して使用可能な無線補助デバイスを識別するように構成されるスキャナと、
（ｃ）少なくとも１つの補助デバイスインターフェースと、
（ｄ）前記少なくとも１つの補助デバイスインターフェースと通信するプロセッサと
を具え、前記プロセッサは、前記ＷＴＲＵの現在のペリフェラルデバイス要件を決定し、前記ディスプレイ上に前記少なくとも１つの使用可能な補助デバイスに関連する現在使用可能なペリフェラルデバイスのリストを提示することを特徴とするＷＴＲＵ。
【請求項１６】
前記複数のネットワークプロトコルは、符号分割多重化（ＣＤＭＡ）、８０２．１１ｘ、時分割多重化（ＴＤＭＡ）、および移動体通信用グローバルシステム（ＧＳＭ）のうちの少なくとも１つを含むことを特徴とする請求項１５記載のＷＴＲＵ。
【請求項１７】
前記ＷＴＲＵは、使用可能な有線補助デバイスが存在するかどうかを決定し、無線補助デバイスおよび有線補助デバイスのうちの少なくとも一方に関連する少なくとも１つのペリフェラルデバイスレジストリをスキャンすることにより、現在使用可能なペリフェラルデバイスの前記リストをコンパイルすることを特徴とする請求項１５記載のＷＴＲＵ。
【請求項１８】
ユーザは、前記ＷＴＲＵの前記ディスプレイ上に提示される前記リストから前記使用可能なペリフェラルデバイスのうちの少なくとも１つを選択することを特徴とする請求項１５記載のＷＴＲＵ。
【請求項１９】
使用可能な補助デバイスおよび／またはペリフェラルデバイスが存在しないときに、使用可能なペリフェラルデバイスが存在しないことを示すメッセージが、前記ＷＴＲＵの前記ディスプレイ上に提示されることを特徴とする請求項１５記載のＷＴＲＵ。
【請求項２０】
前記ＷＴＲＵの現在のペリフェラルデバイス要件は、前記補助デバイスのキーボード、マウス、ディスプレイ、スピーカ、マイクロフォンおよびプリンタのうちの少なくとも１つを含むことを特徴とする請求項１５記載のＷＴＲＵ。
【請求項２１】
少なくとも１つのペリフェラルデバイスにアクセスするように構成される無線送信／受信ユニット（ＷＴＲＵ）であって、
（ａ）ディスプレイと、
（ｂ）複数の無線周波数をスキャンして複数のネットワークプロトコルを使用して使用可能な無線補助デバイスを識別するように構成されるスキャナと、
（ｃ）少なくとも１つの無線ペリフェラルデバイスインターフェースと、
（ｄ）前記少なくとも１つのペリフェラルデバイスインターフェースと通信するプロセッサと
を具え、前記プロセッサは、前記ＷＴＲＵの現在のペリフェラルデバイス要件を決定し、前記ディスプレイ上に現在使用可能なペリフェラルデバイスのリストを提示することを特徴とするＷＴＲＵ。
【請求項２２】
前記複数のネットワークプロトコルは、符号分割多重化（ＣＤＭＡ）、８０２．１１ｘ、時分割多重化（ＴＤＭＡ）、および移動体通信用グローバルシステム（ＧＳＭ）のうちの少なくとも１つを含むことを特徴とする請求項２１記載のＷＴＲＵ。
【請求項２３】
前記ＷＴＲＵは、使用可能なペリフェラルデバイスが存在するかどうかを決定し、無線ペリフェラルデバイスまたは有線ペリフェラルデバイスのうちの少なくとも一方に関連する少なくとも１つのペリフェラルデバイスレジストリをスキャンすることにより、現在使用可能なペリフェラルデバイスの前記リストをコンパイルすることを特徴とする請求項２１記載のＷＴＲＵ。
【請求項２４】
ユーザは、前記ＷＴＲＵの前記ディスプレイ上に提示される前記リストから前記使用可能なペリフェラルデバイスのうちの少なくとも１つを選択することを特徴とする請求項２１記載のＷＴＲＵ。
【請求項２５】
使用可能なペリフェラルデバイスが存在しないときに、使用可能なペリフェラルデバイスが存在しないことを示すメッセージが、前記ＷＴＲＵの前記ディスプレイ上に提示されることを特徴とする請求項２１記載のＷＴＲＵ。
【請求項２６】
前記ＷＴＲＵの現在のペリフェラルデバイス要件は、以降のペリフェラルデバイス、すなわちキーボード、マウス、ディスプレイ、スピーカ、マイクロフォン、およびプリンタのうちの少なくとも１つを含むことを特徴とする請求項２１記載のＷＴＲＵ。
【請求項２７】
ディスプレイを有する無線送信／受信ユニット（ＷＴＲＵ）に対して少なくとも１つのペリフェラルデバイスを割り当てる方法であって、
（ａ）複数の無線周波数をスキャンして、複数のネットワークプロトコルを使用して使用可能な無線補助デバイスを識別する工程と、
（ｂ）前記ＷＴＲＵと少なくとも１つの使用可能なペリフェラルデバイスとの間にインターフェースを設ける工程と、
（ｃ）前記ＷＴＲＵの現在のペリフェラルデバイス要件を決定する工程と、
（ｄ）前記ＷＴＲＵの前記ディスプレイ上に現在使用可能なペリフェラルデバイスのリストを提示する工程と
を具えたことを特徴とする方法。
【請求項２８】
前記複数のネットワークプロトコルは、符号分割多重化（ＣＤＭＡ）、８０２．１１ｘ、時分割多重化（ＴＤＭＡ）、および移動体通信用グローバルシステム（ＧＳＭ）のうちの少なくとも１つを含むことを特徴とする請求項２７記載の方法。
【請求項２９】
（ｅ）使用可能な有線ペリフェラルが存在するかどうかを決定する工程と、
（ｆ）無線または有線のペリフェラルデバイスに関連する少なくとも１つのペリフェラルデバイスレジストリをスキャンすることにより、現在使用可能なペリフェラルデバイスの前記リストをコンパイルする工程と
をさらに具えたことを特徴とする請求項２８記載の方法。
【請求項３０】
（ｅ）前記ＷＴＲＵの前記ディスプレイ上に提示される前記リストから前記使用可能なペリフェラルデバイスのうちの少なくとも１つを選択する工程
をさらに具えたことを特徴とする請求項２７に記載の方法。
【請求項３１】
（ｅ）前記ＷＴＲＵの前記ディスプレイ上に使用可能なペリフェラルデバイスが存在しないことを示すメッセージを提示する工程
をさらに具えたことを特徴とする請求項２７に記載の方法。
【請求項３２】
（ｅ）前記ＷＴＲＵの前記ディスプレイ上に前記デバイスのセキュリティレベルを示すメッセージを提示する工程
をさらに具えたことを特徴とする請求項２７記載の方法。
【請求項３３】
（ｅ）前記ＷＴＲＵの前記ディスプレイ上に前記デバイスの信頼レベルを示すメッセージを提示する工程
をさらに具えたことを特徴とする請求項２７記載の方法。
【請求項３４】
前記ＷＴＲＵの現在のペリフェラルデバイス要件は、以降のペリフェラルデバイス、すなわちキーボード、マウス、ディスプレイ、スピーカ、マイクロフォン、およびプリンタのうちの少なくとも１つを含むことを特徴とする請求項２７記載の方法。
【手続補正２】
【補正対象書類名】図面
【補正対象項目名】図１
【補正方法】変更
【補正の内容】
【図１】
2008520038.tif 000009
【国際調査報告】
2008520038.tif 000010